(57)【要約】【課題】    組立性や外観意匠性に優れたフェンス体、およびフェンスを提供すること。【解決手段】上下左右の枠材１１，１２を枠組みした枠体１３の一方の側面にパンチングメタル１４を固定してフェンスユニット１０を構成したので、枠体１３を枠組みした後にパンチングメタル１４をビス１５で固定することができるため、枠体１３の枠組み作業とパンチングメタル１４の固定作業とが錯綜せず、フェンスユニット１０の組立作業の作業性を向上させることができる。また、枠体１３の一方の側面を意匠面とすることで、意匠面に沿ってパンチングメタル１４が取り付けられた外観フラットなフェンスユニット１０を形成でき、外観意匠性を優れたものにできる。さらに、カバー部材１６，１７によってビス１５の前方を覆ったので、意匠性を一層良好にできる。【選択図】  図２
2005226265.tif 000002
【特許請求の範囲】
【請求項１】
上下左右の枠材を枠組みして形成された枠体と、この枠体に固定された面材とを備えたフェンス体であって、
前記面材は、当該面材を貫通する固定手段によって前記枠体の一方の側面に固定され、
前記面材から露出した前記固定手段の前方には、当該固定手段の露出部分を覆うとともに、前記枠体に固定されるカバー部材が設けられているフェンス体。
【請求項２】
前記面材は、前記固定手段によって前記枠体の上下左右の枠材のうち、少なくとも対向する２つの枠材に固定され、
前記カバー部材は、前記面材が固定される枠材の略全長に渡る長さ寸法を有し、かつ前記固定手段の露出部分を覆う前面部と、この前面部に交差する見込面部とから断面略Ｌ字形に形成され、前記見込面部が前記枠材に固定されている請求項１に記載のフェンス体。
【請求項３】
前記固定手段は、ビスである請求項１または請求項２に記載のフェンス体。
【請求項４】
請求項１から請求項３のいずれかに記載のフェンス体と、このフェンス体を支持する柱材とを備えたフェンスであって、
前記フェンス体を構成する上下の枠材には、当該枠材の長手方向に沿った溝状の被係合部が形成され、
前記フェンス体は、前記被係合部に係合する係合部材を介して前記柱材に固定されているフェンス。
【発明の詳細な説明】
【技術分野】
【０００１】
本発明は、フェンス体、およびフェンスに関し、詳しくは、上下左右の枠材を枠組みして形成された枠体と、この枠体に固定された面材とを備えたフェンス体、およびこのフェンス体と柱材とを備えたフェンスに関する。
【背景技術】
【０００２】
住宅等の敷地境界線に沿って設けられ、敷地の内外を仕切るとともに、敷地外側からの視線を遮るためのフェンスが知られている。
このようなフェンスとしては、格子状やラチス状、ネット状等、各種の構造を有したものがあるが、枠材にパネル材（面材）を嵌め込んだ構造を有したフェンスが提案されている（例えば、特許文献１参照）。
特許文献１に記載されたフェンスは、上下の枠材の対向位置に形成した溝状の嵌入部にパネル材を嵌め込んだ構成となっている。
【０００３】
【特許文献１】特開２００２−２２７４６０号公報
【発明の開示】
【発明が解決しようとする課題】
【０００４】
しかしながら、特許文献１に記載のフェンスでは、枠材およびパネル材の組み立てに際して、上下左右の枠材を先に枠組みしてしまうとパネル材を取り付けることができないため、枠材の枠組みとパネル材の取り付けとを同時に実施しなければならず、組み立てに係る作業性が低下してしまうという問題がある。
また、パネル材を枠材の嵌入部に嵌め込んだだけでは、枠材とパネル材とが風などでガタつくことが考えられるため、ゴム製のＵ字形ガスケット等を嵌入部に取り付け、このＵ字形ガスケットを介してパネル材を支持する等のガタ防止対策が必要になることで、部品が増えて組立性がさらに低下してしまう。
さらに、特許文献１に記載のフェンスでは、枠材に設けた溝状の嵌入部でパネル材を支持するため、パネル材の前面が枠材の前面よりも見込み方向内側に入って枠材の見付け面が全て見えてしまうので、フェンスの外観上、枠材が目立ってしまうことから、意匠性を向上させることが困難になるという問題もある。
【０００５】
本発明の目的は、組立性や外観意匠性に優れたフェンス体、およびフェンスを提供することにある。
【課題を解決するための手段】
【０００６】
本発明のフェンス体は、上下左右の枠材を枠組みして形成された枠体と、この枠体に固定された面材とを備えたフェンス体であって、前記面材は、当該面材を貫通する固定手段によって前記枠体の一方の側面に固定され、前記面材から露出した前記固定手段の前方には、当該固定手段の露出部分を覆うとともに、前記枠体に固定されるカバー部材が設けられていることを特徴とする。
【０００７】
ここで、面材としては、アルミやＳＵＳ等の金属製パネル、アクリルやポリカーボネート等の樹脂製パネル、繊維強化プラスチックパネル、ガラスパネルなどが採用できる。また、目隠し効果を有する程度の透光性を有した材料、つまり半透明の材料や孔の開いた材料（パンチングメタル等）から面材を形成してもよい。
また、固定手段としては、ビスによる固定や、ボルト−ナットによる固定、圧入ピンによる固定など、面材を枠材に対して密接させて固定する種々の固定構造が採用できる。
【０００８】
このような構成によれば、枠体の一方の側面に面材を固定することで、枠体を枠組みした後に面材を固定手段によって固定することができるため、枠体の枠組み作業と面材の固定作業とが錯綜せず、パネル体の組立作業の作業性を向上させることができる。
また、面材が枠体に対して嵌め込み固定される構造ではなく、固定手段によってガタつきなく面材を固定することができるため、ガスケット等の支持部材が不要となり、組立性をさらに向上させることができる。
さらに、枠体の一方の側面を外部に面した意匠面とすることで、意匠面に沿って面材が取り付けられた外観フラットなパネル体を形成でき、外観意匠性を優れたものにできる。この際、カバー部材によって固定手段の前方露出部分が覆われるので、意匠面側に固定手段が露出することがなく、意匠性を良好に維持できる。
【０００９】
この際、本発明のフェンス体では、前記面材は、前記固定手段によって前記枠体の上下左右の枠材のうち、少なくとも対向する２つの枠材に固定され、前記カバー部材は、前記面材が固定される枠材の略全長に渡る長さ寸法を有し、かつ前記固定手段の露出部分を覆う前面部と、この前面部に交差する見込面部とから断面略Ｌ字形に形成され、前記見込面部が前記枠材に固定されていることが好ましい。
【００１０】
ここで、上下左右の枠材のうち少なくとも対向する２つの枠材としては、上下２つの枠材（横枠）でもよく、また左右２つの枠材（縦枠）でもよく、さらに上下左右全ての枠材でもよい。上下２つの枠材に面材の上下端縁を固定する場合には、少なくとも上下の枠材にカバー部材を取り付ければよく、左右の枠材には、カバー材を取り付けてもよいし、取り付けなくてもよい。また、左右２つの枠材に面材の左右端縁を固定する場合には、少なくとも左右の枠材にカバー部材を取り付ければよく、上下の枠材には、カバー材を取り付けてもよいし、取り付けなくてもよい。さらに、上下左右全ての枠材に面材の四周端縁を固定する場合には、上下左右全ての枠材にカバー部材を取り付ければよい。
【００１１】
このような構成によれば、カバー部材が枠材の略全長に渡る長さ寸法を有しているので、固定手段の露出部分のみならず面材の端縁略全長をカバー部材で覆うことができ、さらに外観意匠性を向上させることができる。
また、カバー部材を前面部および見込面部から断面略Ｌ字形に形成し、見込面部を枠材に固定したことで、枠体の外周縁に沿った位置、つまり意匠面に露出しない位置でカバー部材を固定（例えば、ビス止め固定）することができ、カバー部材の固定部分を目立たなくすることができる。
【００１２】
さらに、本発明のフェンス体では、前記固定手段は、ビスであることが好ましい。
このような構成によれば、面材を簡単、確実、かつ安価に固定することができる。
【００１３】
一方、本発明のフェンスは、前記いずれかのフェンス体と、このフェンス体を支持する柱材とを備えたフェンスであって、前記フェンス体を構成する上下の枠材には、当該枠材の長手方向に沿った溝状の被係合部が形成され、前記フェンス体は、前記被係合部に係合する係合部材を介して前記柱材に固定されていることを特徴とする。
【００１４】
このような構成によれば、前述と同様の効果を奏するとともに、フェンス体の柱材への固定位置を上下の枠材の長手方向に関して自由に設定することができるので、柱材の設置条件が制約を受けるような場合であっても、その柱材の設置位置に柔軟に対応してフェンス体を固定することができる。
【発明を実施するための最良の形態】
【００１５】
以下、本発明の一実施形態を図面に基づいて説明する。
図１は、本発明の一実施形態に係るフェンス１を示す正面図である。図２は、フェンス１の縦断面図であり、図１に矢視II−II線で示す断面図である。図３は、フェンス１の横断面図であり、図１に矢視III−III線で示す断面図である。図４は、フェンス１のコーナー部分を示す横断面図である。図５は、フェンス１を構成するフェンスユニット１０を拡大して示す正面図である。なお、各図においては、主要構成部品の断面を示すハッチングが省略されている。
【００１６】
フェンス１は、例えば戸建て住宅等の敷地境界線に沿って設けられて敷地の内外を仕切るものであって、地面２から立設された柱材３と、この柱材３に支持されたフェンス体としてのフェンスユニット１０とを備えて構成されている。
柱材３は、アルミ形材製であり、地中に埋設された図示しない基礎に下端が固定され、片持ち状に上方に延びて立設されている。フェンスユニット１０は、柱材３の敷地外方側側面に複数支持されており、１つのフェンスユニット１０は、少なくとも２本の柱材３で支持されている。また、敷地の角部などでは、図４に示すように、フェンスユニット１０同士がコーナー部材２０で連結され、敷地形状に対応した任意の角度に折り曲げ可能になっている。コーナー部材２０は、フェンスユニット１０に連結される一対の連結部２１と、これらの連結部２１同士の角度を変更する回動部２２とを有して構成されている。
【００１７】
フェンスユニット１０は、上下の横枠材１１および左右の縦枠材１２を四周枠組みした枠体１３と、この枠体１３の一方の側面である敷地外方側側面に固定された面材としてのステンレス製パンチングメタル（孔開き鋼板）１４とを備えて構成されている。
横枠材１１および縦枠材１２は、それぞれアルミ押出形材製の中空部材であって、図示しないボルトを介して互いに固定されている。
上下の横枠材１１の敷地内方側側面には、部材の長手方向に延びる凹溝状の被係合部１１Ａが形成され、この被係合部１１Ａ上部には、下方に延出する被係合片１１Ｂが形成されている。そして、上下の横枠材１１に対応した位置の柱材３には、上下の係合部材４，５が設けられており、これらの係合部材４，５に設けられた係合片４Ａ，５Ａが被係合部１１Ａの被係合片１１Ｂに係合することで、上下の横枠材１１が柱材３に固定されるようになっている。
【００１８】
上係合部材４は、柱材３の上端開口を塞ぐ端部キャップを兼用しており、アングルピース６を介して柱材３にビス７で固定されている。また、上係合部材４は、板状部材であって、そのフェンスユニット１０側の端部が上方に折り曲げられて係合片４Ａが形成されている。
下係合部材５は、下横枠材１１の被係合部１１Ａに隙間なく挿入できる大きさを有した板状部材であって、その上端に段付き状の係合片５Ａが形成されるとともに、ビス８で柱材３に固定されるようになっている。
これら上下の係合部材４，５の係合片４Ａ，５Ａを上下の横枠材１１の被係合片１１Ｂに係合させた状態で、下係合部材５にビス８を螺合させて締めることで、下係合部材５が被係合部１１Ａ内で移動不能になるため、フェンスユニット１０が柱材３に固定される。また、上下の係合部材４，５は、上下の横枠材１１の長手方向に沿った被係合部１１Ａの任意の位置に係合可能になっているので、フェンスユニット１０と柱材３との取り付け位置は、水平方向に調整可能になっている。すなわち、柱材３は、図１に示す位置に限らず、水平方向（左右方向）に移動させた適宜な位置に立設可能である。
【００１９】
パンチングメタル１４は、固定手段としてのビス１５によって、上下の横枠材１１および左右の縦枠材１２に固定されている。ビス１５は、敷地外方側からパンチングメタル１４を貫通し、横枠材１１および縦枠材１２に螺合することで、パンチングメタル１４を横枠材１１および縦枠材１２に密接させてガタつきなく固定できるようになっている。
なお、本実施形態では、固定手段としてビス１５を用いたが、ビスに限らず、パンチングメタル１４および枠材１１，１２を貫通するボルトおよびナットや、パンチングメタル１４を貫通して枠材１１，１２に圧入される圧入ピンなどを用いてもよい。また、パンチングメタル１４が直接枠材１１，１２に密接されるものに限らず、パンチングメタル１４と枠材１１，１２との間に両面テープやゴムシートなどを介挿してもよい。
【００２０】
また、フェンスユニット１０における上下左右の枠材１１，１２には、カバー部材１６，１７が取り付けられている。
カバー部材１６，１７は、図２、３に示すように、パンチングメタル１４に沿った前面部１６Ａ，１７Ａと、前面部１６Ａ，１７Ａに交差して敷地内方側に延びる見込面部１６Ｂ，１７Ｂとから断面略Ｌ字形に形成され、パンチングメタル１４の敷地外方側に露出したビス１５の前方を前面部１６Ａ，１７Ａで覆って設けられている。すなわち、図１、５に示すように、フェンス１の意匠面側である敷地外側からは、前面部１６Ａ，１７Ａに隠れてビス１５の頭が見えないようになっている。さらに、カバー部材１６，１７は、それぞれ上下の横枠材１１および左右の縦枠材１２の略全長に渡る長さ寸法を有し、パンチングメタル１４の上下端縁および左右端縁を覆うようになっている。また、カバー部材１６，１７は、その見込面部１６Ｂ，１７Ｂが横枠材１１および縦枠材１２に固定されている。
【００２１】
上下の横枠材１１に固定されるカバー部材１６は、見込面部１６Ｂの裏側面から突出した係止片１６Ｃを有しており、この係止片１６Ｃが横枠材１１の凹溝に係止されて取り付けられている。そして、カバー部材１６の長手方向端部には、縦枠材１２に固定されたキャップ部材１８が設けられており、このキャップ部材１８によってカバー部材１６の端部が塞がれるとともに、隣接するフェンスユニット１０の横枠材１１との隙間が埋められるようになっている。
また、左右の縦枠材１２に固定されるカバー部材１７は、図３、４に示すように、見込面部１７Ｂの外側から貫通するビスによって縦枠材１２に固定されるとともに、その上下端縁が上下のカバー部材１６に隙間なく当接するようになっている。そして、カバー部材１６，１７の前面部１６Ａ，１７Ａ同士は、略フラットに形成されるとともに、これらの前面部１６Ａ，１７Ａとパンチングメタル１４の表面との段差が小さくなっている。
【００２２】
以上のような構成のフェンス１の組み立て手順としては、先ず、工場等において、フェンスユニット１０を予め組み立てた上で現地に搬送する。この際、フェンスユニット１０としては、枠体１３、パンチングメタル１４、およびカバー部材１６，１７の全てを組み立てた状態で搬送してもよく、また枠体１３のみを枠組みしておき、パンチングメタル１４、およびカバー部材１６，１７を枠体１３に固定しない状態で搬送してもよい。
そして、現地において、地面２に立設された柱材３に係合部材４，５を介してフェンスユニット１０、または枠体１３のみを固定する。枠体１３のみを柱材３に固定した場合には、これに続いて、枠体１３にパンチングメタル１４をビス１５で固定し、その後カバー部材１６，１７を枠体１３の上下左右の枠材１１，１２に固定する。
【００２３】
このような本実施形態によれば、以下のような効果がある。
（１）すなわち、枠体１３の一方の側面（敷地外方側側面）にパンチングメタル１４を固定したので、枠体１３を枠組みした後にパンチングメタル１４をビス１５によって固定することができるため、枠体１３の枠組み作業とパンチングメタル１４の固定作業とが錯綜せず、フェンスユニット１０の組立作業の作業性を向上させることができる。
また、パンチングメタル１４が枠体１３に対して嵌め込み固定される構造ではなく、ビス１５によってガタつきなくパンチングメタル１４を固定することができるため、ガスケット等の支持部材が不要となり、組立性をさらに向上させることができる。
【００２４】
（２）また、枠体１３の側面にパンチングメタル１４を固定したことで、従来のフェンスのように枠材の凹溝などの嵌入部に面材を嵌め込む構造と比較して、横風等の面外方向からの荷重に対しての面材の取り付け強度を高めることができる。すなわち、従来の構造で面材の取り付け強度を高めるためには、嵌入部への面材の飲み込み量を大きくする必要があるが、このようにすると、組立性がさらに低下してしまうという不都合を生じる。しかし、本発明では、枠体１３の側面にパンチングメタル１４が固定されるので、枠体１３との接触面積が大きくなるとともに、ビス１５の本数を増やすことによっても容易に取り付け強度を高めることができるようになっている。
【００２５】
（３）また、枠体１３の敷地外方側側面にパンチングメタル１４を固定したことで、敷地外方側側面を意匠面とする外観フラットなフェンスユニット１０を形成でき、外観意匠性を優れたものにできる。この際、カバー部材１６，１７によってビス１５の前方が覆われるので、意匠面側にビス１５の頭が露出することがなく、意匠性を良好に維持できる。
【００２６】
（４）さらに、カバー部材１６，１７が上下左右の枠材１１，１２の略全長に渡る長さ寸法を有しているので、ビス１５の前方のみならずパンチングメタル１４の上下左右の端縁略全長をカバー部材１６，１７で覆うことができ、さらに外観意匠性を向上させることができる。
【００２７】
（５）また、カバー部材１６，１７を前面部１６Ａ，１７Ａおよび見込面部１６Ｂ，１７Ｂから断面略Ｌ字形に形成し、見込面部１６Ｂ，１７Ｂを枠材１１，１２に固定したことで、枠体１３の外周縁に沿った位置、つまり意匠面に露出しない位置でカバー部材１６，１７を固定することができ、カバー部材１６，１７の固定部分を目立たなくすることができる。
【００２８】
（６）さらに、パンチングメタル１４をビス１５で枠材１１，１２に固定したことで、簡単、確実、かつ安価に固定することができる。
【００２９】
（７）また、フェンスユニット１０の柱材３への固定位置を上下の枠材１１の長手方向に関して自由に設定することができるので、柱材３の設置条件が制約を受けるような場合であっても、その柱材３の設置位置に柔軟に対応してフェンスユニット１０を固定することができる。
【００３０】
なお、本発明は、前記各実施形態に限定されるものではなく、本発明の目的を達成できる他の構成等を含み、以下に示すような変形等も本発明に含まれる。
例えば、前記実施形態では、戸建て住宅等の敷地境界線に沿って設けられるフェンス１について説明したが、フェンス１の設置場所は特に限定されるものではなく、住宅以外の建物に付属して設けられてもよく、また建物に関係なく屋外施設に付属して設けられてもよい。
【００３１】
また、前記実施形態では、面材としてステンレス製パンチングメタル１４を採用したが、これに限らず、アルミ製や他の金属製の孔開き板でもよく、また金属以外のアクリルやポリカーボネート等の樹脂製パネル、繊維強化プラスチックパネル、ガラスパネル等を採用してもよい。また、樹脂製パネルやガラスパネルを採用した場合には、孔開き板以外の半透明なパネルとすることで、外からの視線を遮断し、かつ内からの開放感を確保できるようになる。さらに、面材として格子状やメッシュ状のパネルを採用してもよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３３】
【図１】本発明の一実施形態に係るフェンスを示す正面図である。
【図２】前記フェンスの縦断面図であり、図１に矢視II−II線で示す断面図である。
【図３】前記フェンスの横断面図であり、図１に矢視III−III線で示す断面図である。
【図４】前記フェンスのコーナー部分を示す横断面図である。
【図５】前記フェンスを構成するフェンス体を拡大して示す正面図である。
【符号の説明】
【００３４】
１…フェンス、３…柱材、４，５…係合部材、１０…フェンス体であるフェンスユニット、１１…横枠材、１２…縦枠材、１１Ａ，１２Ａ…被係合部、１３…枠体、１４…面材であるパンチングメタル、１５…固定手段であるビス、１６，１７…カバー部材、１６Ａ，１７Ａ…前面部、１６Ｂ，１７Ｂ…見込面部。
【図１】
2005226265.tif 000003
【図２】
2005226265.tif 000004
【図３】
2005226265.tif 000005
【図４】
2005226265.tif 000006
【図５】
2005226265.tif 000007